(57)【要約】【課題】  ランプ管が挿入、嵌合されるコネクタにおいて、ランプ管の導体を十分な接圧で挟持でき、かつコストダウンを図れるものを提供する。【解決手段】  １対の対向する板状の接触部１１，１１を有するコンタクト１０と、そのコンタクト１０を収納する孔２を有するハウジング１とを備え、ランプ管３０の導体３１が前記コンタクト１０の接触部１１，１１間に挿入されることにより、前記コンタクト１０の接触部１１，１１が、互いに離間するように外側に押し広げられて前記ハウジング１の孔２の内面２ａ，２ａに圧接し、前記ランプ管３０の導体３１を挟持する。【選択図】  図１３
2005294019.tif 000002
【特許請求の範囲】
【請求項１】
１対の対向する板状の接触部を有するコンタクトと、
そのコンタクトを収納する孔を有するハウジングとを備えたランプ管用コネクタであって、
ランプ管の導体が前記コンタクトの接触部間に挿入されることにより、前記コンタクトの接触部が、互いに離間するように外側に押し広げられて前記ハウジングの孔の内面に圧接し、前記ランプ管の導体を挟持するランプ管用コネクタ。
【請求項２】
請求項１において、
前記コンタクトの接触部に圧接する前記ハウジングの圧接部の外側にスリットが設けられることにより、前記ハウジングの圧接部が可撓性を有するランプ管用コネクタ。
【請求項３】
請求項１において、
前記ハウジングと係合するリテーナの一部が前記ハウジングの孔に挿入されることにより、前記コンタクトがハウジングから抜け止めされるランプ管用コネクタ。
【請求項４】
請求項１ないし３のいずれか一つにおいて、
前記コンタクトおよびそのコンタクトを収納する孔が複数平行に配列されているランプ管用コネクタ。
【発明の詳細な説明】
【技術分野】
【０００１】
本発明は、ランプ管が挿入、嵌合されるコネクタに関するものである。
【背景技術】
【０００２】
従来、液晶画面のバックライトとなるランプ管（蛍光管）が挿入、嵌合されるコネクタとして、特許文献１の図２に示されるようなものがある。このコネクタでは、ランプ管の導体（導線）が、対向するコンタクトの両接触部（両端部）間に挿入されるが、挿入されて広げられたコンタクトがもとに戻ろうとする弾力だけではランプ管の導体を十分な接圧で挟持できないので、コネクタのハウジング（ランプ支持台）本体とは別体に形成されたスライダーをハウジング内に挿入することにより、コンタクトの両端部にランプ管の導体を挟圧させ、接圧を向上させている。
【特許文献１】特開２００２−３６７４２２号公報（図２（ａ）〜（ｃ）、段落００２３）
【発明の開示】
【発明が解決しようとする課題】
【０００３】
しかし、ハウジング本体とは別体のスライダーが必要なので、コネクタの部品点数および組立工程が増し、コストアップを招いている。
【０００４】
本発明は前記従来の問題に鑑みなされたもので、ランプ管が挿入、嵌合されるコネクタにおいて、ランプ管の導体を十分な接圧で挟持でき、かつコストダウンを図れるものを提供することを目的としている。
【課題を解決するための手段】
【０００５】
前記目的を達成するために、本発明にかかるランプ管用コネクタは、１対の対向する板状の接触部を有するコンタクトと、そのコンタクトを収納する孔を有するハウジングとを備え、ランプ管の導体が前記コンタクトの接触部間に挿入されることにより、前記コンタクトの接触部が、互いに離間するように外側に押し広げられて前記ハウジングの孔の内面に圧接し、前記ランプ管の導体を挟持する。
【０００６】
本発明のランプ管用コネクタによれば、ランプ管の導体が挿入されることでコンタクトの接触部が外側に開いてハウジングの孔の内面に圧接し、その反作用で接触部が内側に閉じるように孔の内面から押圧されるので、スライダーのような別部品を用いることなく、ランプ管の導体を十分な接圧で挟持でき、コストダウンを図ることができる。
【０００７】
本発明のランプ管用コネクタにおいては、前記コンタクトの接触部に圧接する前記ハウジングの圧接部の外側にスリットが設けられることにより、前記ハウジングの圧接部が可撓性を有することが好ましい。また、前記ハウジングと係合するリテーナの一部が前記ハウジングの孔に挿入されることにより、前記コンタクトがハウジングから抜け止めされることが好ましい。さらに、前記コンタクトおよびそのコンタクトを収納する孔は、複数平行に配列されていてもよい。
【発明を実施するための最良の形態】
【０００８】
まず、本発明の第１実施形態であるランプ管用コネクタについて説明する。このコネクタは、液晶画面のバックライトとなるランプ管が挿入、嵌合されるもので、コンタクトと、そのコンタクトを収納する孔を有する絶縁性のハウジングとを備えている。ハウジング１は、側面図である図１に示すように、側面視でＬ字形の箱状で、一体物として成形されており、側面断面図である図２に示すように、上方からランプ管が挿入、嵌合される孔４と、前方（図２では右方）からコンタクトが挿入、収納される孔２とを有している。
【０００９】
ランプ管３０（図１０）が挿入される孔４は、先細の２段になっており、先細の下部にはランプ管３０の導体３１（図１０）が挿入され、太い上部にはランプ管３０本体（図１０）が挿入、嵌合される。図１の平面図である図３に示すように、ランプ管が挿入される孔４は、ここでは左右方向（図３では上下方向）に複数、例えば２つ設けられている。それに対応して、図２のIV−IV断面図である図４に示すように、コンタクトを収納する孔２も、左右方向（図４では上下方向）に２つ平行に配列されている。この実施形態では、コンタクトを収納する孔２の内面２ａは、先端部において、左右方向に関し徐々に狭くなっているが、そうなっていなくてもよい。
【００１０】
側面図を図６に示すコンタクト１０は、銅や銅合金（黄銅など）の導電性金属板を打抜き曲げ加工して作製され、図６の平面図である図７に示すように、前部が三股状になっており、そのうちの１対は対向する板状の接触部１１，１１であり、残りは接触部１１，１１を保護する底板１３である。前部に連続する中間部には、接触部１１，１１の基部となる１対の中間基部１４，１４と、底板１３に連なる抜け止め用のランス１５とが設けられている。中間部に連続する後部１６は、電線１７の圧着部となっている。中間基部１４，１４は平行に対向しているが、そこから接触部１１，１１は間隔を狭めるように延び、先端部では平行に対向している。接触部１１，１１の先端部の上部１２，１２は、ランプ管の導体３１（図１０）を挿入しやすいように、上方に開いた形状となっている（図１４）。
【００１１】
このコンタクト１０を図２のハウジング１の孔２に挿入し、図１０に示すように、ハウジング１の下壁から上方に突出するように設けられた段部６に対し、爪状のランス１５が撓んで乗り越えてもとの高さに戻って係合すると、コンタクト１０がハウジング１から抜け止めされる。前述したように孔２は２つが平行に配列されているので、コンタクト１０も２つが平行に配列される。このようにして組み立てたコネクタを分解する必要が生じたときには、ハウジング１の背面に設けられた挿通孔７（背面図である図５参照）から、ピン状の治具を挿入し、ランス１５を段部６から上方へ押し離すことにより、コンタクト１０の抜け止めを解除して、ハウジング１から引き抜くことができる。
【００１２】
コンタクト１０の抜け止めをより強固にするために、リテーナを用いてもよい。側面図である図８に示すように、リテーナ２０は、側面視で上側の係合部２２と下側の挿入部２１が後側で連結したＵ字形である。図８の平面図である図９に示すように、平面視で、係合部２２は後方（図９では右方）に開いたＵ字形で、挿入部２１は前方に向けて二股状になっている。
【００１３】
この二股状の挿入部２１のそれぞれをハウジング１の対応する孔２（図１０）の上側に挿入し、図１１に示すように挿入部２１と係合部２２とでハウジングの上壁を挟むようにすると、その状態の平面図である図１５に示すように、ハウジング１の上壁から上方に突出するように設けられた段部５に対し、リテーナ２０の係合部２２が撓んでその先端部が段部５を乗り越えてもとの高さに戻って係合するとともに、図１１に示すようにリテーナ２０の挿入部２１の先端がコンタクト１０の中間基部１４の後端面上部に当接し、コンタクト１０がリテーナ２０を介してハウジング１から抜け止めされる。
【００１４】
図１０に示すように、ランプ管３０の導体３１がコンタクト１０の接触部１１，１１間に挿入される前は、図１０の XII−XII 断面における部分拡大図である図１２に示すように、コンタクト１０の接触部１１，１１の先端部の下部の外縁（破線の先端）は、ハウジング１の孔２の内面２ａ，２ａに接していない。
【００１５】
しかし、図１１に示すように、ランプ管３０の導体３１がコンタクト１０の接触部１１，１１間に挿入されると、図１１のXIII−XIII断面における部分拡大図である図１３に示すように、コンタクト１０の接触部１１，１１が互いに離間するように外側に押し広げられて、コンタクト１０の接触部１１，１１の先端部の下部の外縁（破線の先端）は、ハウジング１の孔２の内面２ａ，２ａの先端部に圧接する。その結果、圧接するハウジング１の圧接部３，３からの反作用を受け、コンタクト１０の接触部１１，１１は、ランプ管３０の導体３１を強固に挟持する。
【００１６】
このように、第１実施形態のランプ管用コネクタによれば、ランプ管３０の導体３１が挿入されることでコンタクト１０の接触部１１，１１が外側に開いてハウジング１の孔２の内面２ａ，２ａに圧接し、その反作用で接触部１１，１１が内側に閉じるように孔２の内面２ａ，２ａから押圧されるので、スライダーのような別部品を用いることなく、ランプ管３０の導体３１を十分な接圧で挟持でき、コストダウンを図ることができる。
【００１７】
次に、本発明の第２実施形態であるランプ管用コネクタについて説明する。ハウジング４１の側面断面図を図１６に示すこのコネクタは、図１６のXVII−XVII断面図である図１７に示すように、前記第１実施形態のコネクタ（図４）と比べ、ハウジング４１の圧接部４３の外側にスリット４８が設けられることにより、圧接部４３が可撓性を有する（すなわち、ハウジング４１の孔４２の内面４２ａ，４２ａが先端部において可動である）という構成が異なるのみであるので、その他の部分については同じ符号を付して説明を省略する。なお、圧接部４３を断面に含まない、図１６の XVIII−XVIII 断面図を図１８に示す。
【００１８】
第２実施形態のコネクタにおいても、ランプ管３０の導体３１がコンタクト１０の接触部１１，１１間に挿入される前は、第１実施形態の図１２に相当する図２０に示すように、コンタクト１０の接触部１１，１１の先端部の下部の外縁（破線の先端）は、ハウジング４１の孔４２の内面４２ａ，４２ａに接していない。
【００１９】
しかし、ランプ管３０の導体３１がコンタクト１０の接触部１１，１１間に挿入されると、第１実施形態の図１３に相当する図２１に示すように、やはり、コンタクト１０の接触部１１，１１が互いに離間するように外側に押し広げられて、コンタクト１０の接触部１１，１１の先端部の下部の外縁（破線の先端）は、ハウジング４１の孔４２の内面４２ａ，４２ａの先端部に圧接する。その結果、圧接するハウジング４１の圧接部４３，４３からの反作用を受け、コンタクト１０の接触部１１，１１は、ランプ管３０の導体３１を強固に挟持する。ここで、第２実施形態のコネクタにおいては、圧接部４３が可撓性を有して外側へ撓むので、ランプ管３０の導体３１をコンタクト１０の接触部１１，１１間に挿入しやすい。
【００２０】
このように、第２実施形態のランプ管用コネクタによっても、ランプ管３０の導体３１が挿入されることでコンタクト１０の接触部１１，１１が外側に開いてハウジング４１の孔４２の内面４２ａ，４２ａに圧接し、その反作用で接触部１１，１１が内側に閉じるように孔４２の内面４２ａ，４２ａから押圧されるので、スライダーのような別部品を用いることなく、ランプ管３０の導体３１を十分な接圧で挟持でき、コストダウンを図ることができる。
【図面の簡単な説明】
【００２１】
【図１】本発明の第１実施形態であるコネクタのハウジングの側面図である。
【図２】同ハウジングの側面断面図で、図３のII−II断面図である。
【図３】図１の平面図である。
【図４】図２のIV−IV断面図である。
【図５】同ハウジングの背面図である。
【図６】第１実施形態であるコネクタのコンタクトの側面図である。
【図７】図６の平面図である。
【図８】第１実施形態であるコネクタに用いられるリテーナの側面図である。
【図９】図８の平面図である。
【図１０】ランプ管およびリテーナを挿入していない状態における第１実施形態であるコネクタの側面断面図である。
【図１１】ランプ管およびリテーナを挿入した状態における第１実施形態であるコネクタの側面断面図である。
【図１２】図１０の XII−XII 断面における部分拡大図である。
【図１３】図１１のXIII−XIII断面における部分拡大図である。
【図１４】図１３の XIV−XIV 断面図である。
【図１５】図１０のコネクタにリテーナを挿入した状態の平面図である。
【図１６】本発明の第２実施形態であるコネクタのハウジングの側面断面図である。
【図１７】図１６のXVII−XVII断面図である。
【図１８】図１６のXVIII−XVIII 断面図である。
【図１９】同ハウジングの背面図である。
【図２０】第２実施形態であるコネクタにおいて、第１実施形態の図１２に相当する図である。
【図２１】第２実施形態であるコネクタにおいて、第１実施形態の図１３に相当する図である。
【符号の説明】
【００２２】
１，４１  ハウジング
２，４２  ハウジングの孔
２ａ，４２ａ  ハウジングの孔の内面
３，４３  ハウジングの圧接部
１０  コンタクト
１１  コンタクトの接触部
２０  リテーナ
３０  ランプ管
３１  ランプ管の導体
４８  スリット
【図１】
2005294019.tif 000003
【図２】
2005294019.tif 000004
【図３】
2005294019.tif 000005
【図４】
2005294019.tif 000006
【図５】
2005294019.tif 000007
【図６】
2005294019.tif 000008
【図７】
2005294019.tif 000009
【図８】
2005294019.tif 000010
【図９】
2005294019.tif 000011
【図１０】
2005294019.tif 000012
【図１１】
2005294019.tif 000013
【図１２】
2005294019.tif 000014
【図１３】
2005294019.tif 000015
【図１４】
2005294019.tif 000016
【図１５】
2005294019.tif 000017
【図１６】
2005294019.tif 000018
【図１７】
2005294019.tif 000019
【図１８】
2005294019.tif 000020
【図１９】
2005294019.tif 000021
【図２０】
2005294019.tif 000022
【図２１】
2005294019.tif 000023